(57)【特許請求の範囲】
【請求項１】
キャビネットに形成された換気口を、前記キャビネットの外側から被覆するルーバと、前記キャビネットの内側で、前記ルーバに相当する位置に配置されて、取り付け時に前記ルーバを仮保持する係止部材と、前記キャビネットの内側で、該係止部材に重ねて配置されるファンとからなる電気機器収納用箱用換気装置であって、前記ルーバは、前記換気口内に配置される箇所に、前記ファンを固定するための固定部を備え、前記ファンを該固定部に固定することで、前記ルーバは、前記係止部材とで前記キャビネットを挟持して前記キャビネットに固定されることを特徴とする電気機器収納用箱用換気装置。
【請求項２】
前記ファンは、前記係止部材を挿通するねじ部材により、前記固定部に固定されることを特徴とする請求項１記載の電気機器収納用箱用換気装置。
【請求項３】
前記ルーバには、前記ファンを係止する係止部を形成したことを特徴とする請求項１または２記載の電気機器収納用箱用換気装置。
【請求項４】
前記係止部は、前記係止部材に設けた係止孔に挿通したことを特徴とする請求項３記載の電気機器収納用箱用換気装置。
【請求項５】
前記係止部は、爪部を備え、該爪部を前記係止孔に挿通して、前記ルーバと前記係止部材をキャビネットに仮保持することを特徴とする請求項４記載の電気機器収納用箱用換気装置。
【発明の詳細な説明】
【技術分野】
【０００１】
本発明は、電気機器収納用箱に設けられた電気機器収納用箱用換気装置に関するものである。
【背景技術】
【０００２】
電気機器を収納するための電気機器収納用箱のキャビネットには、キャビネット内部の換気を行うための電気機器収納用箱用換気装置が取付けられ、その換気はキャビネットの内側に設けられたファンにより行われる。従来では、特許文献１及び図９のように、キャビネットに形成した換気口外には、ファンを固定するための固定孔を形成する必要があり、加工が複雑となる問題があった。
【先行技術文献】
【特許文献】
【０００３】
【特許文献１】特開２０００−２０８９７７号公報
【発明の概要】
【発明が解決しようとする課題】
【０００４】
本発明の目的は前記した従来の問題点を解決し、キャビネットへの簡単な加工で取付可能であり、容易に製作可能な電気機器収納用箱用換気装置を提供することである。
【課題を解決するための手段】
【０００５】
上記課題を解決するためになされた本発明は、キャビネットに形成された換気口を、前記キャビネットの外側から被覆するルーバと、前記キャビネットの内側で、前記ルーバに相当する位置に配置されて、取り付け時に前記ルーバを仮保持する係止部材と、前記キャビネットの内側で、該係止部材に重ねて配置されるファンとからなる電気機器収納用箱用換気装置であって、前記ルーバは、前記換気口内に配置される箇所に、前記ファンを固定するための固定部を備え、前記ファンを該固定部に固定することで、前記ルーバは、前記係止部材とで前記キャビネットを挟持して前記キャビネットに固定されることを特徴とするものである。
【０００６】
請求項２記載の発明は、請求項１記載の電気機器収納用箱用換気装置であって、前記ファンは、前記係止部材を挿通するねじ部材により、前記固定部に固定されることを特徴とするものである。
【０００７】
請求項３記載の発明は、請求項１または２記載の電気機器収納用箱用換気装置であって、前記ルーバには、前記ファンを係止する係止部を形成したことを特徴とするものである。
【０００８】
請求項４記載の発明は、請求項３記載の電気機器収納用箱用換気装置であって、前記係止部は、前記係止部材に設けた係止孔に挿通したことを特徴とするものである。
【０００９】
請求項５記載の発明は、請求項４記載の電気機器収納用箱用換気装置であって、前記係止部は、爪部を備え、該爪部を前記係止孔に挿通して、前記ルーバと前記係止部材をキャビネットに仮保持することを特徴とするものである。
【発明の効果】
【００１０】
本発明に係る電気機器収納用箱用換気装置は、ルーバは、換気口内に配置される箇所に、ファンを固定するための固定部を備え、ファンを固定部に固定することで、ルーバは、係止部材とでキャビネットを挟持してキャビネットに固定されるものとした。これにより、従来、ファンを固定するためにキャビネットの換気口外に形成していた固定孔を形成する必要がなくなり、孔をより簡単な構造とすることができ、キャビネットへの簡単な加工で取付が可能となり、また容易に製作可能となる。
【００１１】
請求項２に係る発明によれば、ファンは、係止部材を挿通するねじ部材により、固定部に固定されるものとしたことにより、1つの部材でファンと係止部材とルーバを一度に締付けて、キャビネットに固定することができるので、作業性がより向上する。
【００１２】
請求項３に係る発明によれば、ルーバには、ファンを係止する係止部を形成したことにより、ファンの固定時にファンを手で支える必要がなく、ファンの固定時の作業性がより向上する。また、ファン専用の係止部材を別途製作する必要がなく、安価に製作可能となる。
【００１３】
請求項４記載に係る発明によれば、係止部は、係止部材に設けた係止孔に挿通したことにより、係止部材は取付位置にガイドされるため、作業性が良いものとなる。
【００１４】
請求項５記載に係る発明は、係止部は、爪部を備え、爪部を係止孔に挿通して、ルーバと係止部材をキャビネットに仮保持することにより、ファンをルーバに取付ける前にルーバがキャビネットから脱落することを防ぐことができる。
【図面の簡単な説明】
【００１５】
【図１】本実施形態を示す分解斜視図である。
【図２】本実施形態のルーバ組付け時を示す分解斜視図である。
【図３】本実施形態の係止部材組付け時を示す分解斜視図である。
【図４】本実施形態の組付け後を示す斜視図である。
【図５】本実施形態の組付け後を示す側面図である。
【図６】第２の実施形態を示す分解斜視図である。
【図７】その他の実施形態を示す分解斜視図である。
【図８】その他の実施形態を示す分解斜視図である。
【図９】従来の換気口及び固定孔を示す斜視図である。
【発明を実施するための形態】
【００１６】
以下に本発明の好ましい実施形態を示す。
本実施形態の電気機器収納用箱用換気装置は、図１のように、キャビネット１に形成された換気口３を、キャビネット１の外側から被覆するルーバ４と、キャビネット１の内側で、ルーバ４に相当する位置に配置される係止部材７と、キャビネット１の内側で、係止部材７に重ねて配置されるファン２とから構成される。また、キャビネット１には、円形状の換気口３が形成されている。
【００１７】
ルーバ４には、ファン２に設けられた図示しない八角形状のファン通風口と同形状、すなわち八角形状のスリット５が形成されている。本実施形態では、ルーバ４は外形が四角形状のものとしたが、その他にも円形状でも良いものである。スリット５の外側には、キャビネット１の内側に向けて突出した係止部１６が形成されており、その先端には爪部６が形成されている。図３のようにこの爪部６は、係止部材７に形成した係止孔８を挿通するものとした。この状態で、爪部６は係止部材７に引っ掛かることで、ルーバ４と係止部材７がキャビネット１に仮保持されるものとした。さらに、ファン２の取付時には、ネジ固定をする前にファン２が脱落しないように、爪部６はファン２を係止するものとした。この係止部材７は、換気口３より大きく形成され、また中央に通風口９が形成された板状の部材である。ファン２をネジ固定することで、ルーバ４は係止部材７とでキャビネット１を押圧し、係止部材７とでキャビネット１を挟持してキャビネット１に固定されるものとした。また、ルーバ４には、ねじ１０によってファン２を固定するための固定部１１を形成するものとした。
【００１８】
このような構成により、電気機器収納用箱用換気装置を取付ける際には、まず図２のようにルーバ４をキャビネット１の外側に配置し、次に図３のように、係止孔８を爪部６に挿通させ、係止部材７はルーバ４とともにキャビネット１に仮保持される。次にファン２を爪部６に係止させ、係止部材７に重ねて配置させる。この状態で、ねじ１０により、キャビネット１の内側から、ファン２をルーバ４に形成した固定部１１に固定することで、図４及び図５に示す組付け後を示す状態となる。
【００１９】
爪部６は係止孔８を挿通するものとしたことで、係止部材７は取付位置にガイドされるため、作業性が良いものとなる。また、ルーバ４と係止部材７がキャビネット１に仮保持されるものとしたことで、ファン２をルーバ４に取り付ける前にルーバ４がキャビネット１から脱落することを防ぐことができる。また、ファン２をルーバ４に係止させた状態で、ファン２をネジ固定することができるので、ファン２を手で支える必要がなく、作業性がより向上する。また、ルーバ４は係止部材７とでキャビネット１を挟持してキャビネット１に固定されるものとしたことで、係止部材７とルーバ４が換気口３を通り抜けて脱落することを防ぐことができる。また、ルーバ４と係止部材７のキャビネット１への仮保持と、ファン２のルーバ４への係止は共通の係止部１６によりされるので、部材が共通化され、安価に製作可能となる。
【００２０】
また、固定部１１は、キャビネット１に形成した換気口３内に配置したことにより、従来、図９のようにキャビネット１０１の換気口１０２外に形成していたファン固定用の固定孔１０３を形成する必要がなくなり、孔をより簡単な構造とすることができ、キャビネット１への簡単な加工で電気機器収納用箱用換気装置の取付が可能となり、また容易に製作可能となる。
【００２１】
なお、ルーバ４及びファン２を係止するための係止部１６のその他の構造としては、ルーバ４上に、係止部材７及びファン２に対して傾斜させた突部を形成するものとし、この突部をファン２に当接させて撓ませることによって係止を行うものとしても良い。
【００２２】
また、図１のように、ファン２を固定するためのねじ１０は、係止部材７に形成したねじ取付孔１２と換気口３とを挿通して、固定部１１に固定されるものとした。これにより、1つの部材でファン２と係止部材７とルーバ４を一度に締付けて、キャビネット１に固定することができるので作業性がより向上する。
【００２３】
本実施形態では、係止部材７の中央に形成した通風孔９は、ファン２に設けられた図示しない八角形状のファン通風口と同形状、すなわち八角形状とした。この通風孔９の形状は、ファン通風口の形状に対応することが好ましく、係止部材７を別部材により構成することにより、既設のキャビネットに八角形状のような複雑な形状の換気口を形成するのが困難な場合であっても、簡単にその形状に対応可能となるものである。
【００２４】
本実施形態では、係止部材７は換気口３よりも大きい板状のものとしたが、その他にも、例えば第２の実施形態として図６に示すように、係止部材７を上下に分割し、上下位置にのみ爪部６及び係止孔８を、計４つずつ形成するものとしても良い。なお、その場合は、ねじ１０は固定部１１に固定される。
【００２５】
その他の実施形態として図７に示すように、換気口３を四角形状に形成し、係止部１６が換気口に当接するものとしても良い。これにより、ファン２、係止部材７、及びルーバ４とが、換気口３に対して回転することを防ぐことができる。また、図８のように、円形状の換気口３の一部に溝部１３を形成するとともに、係止部材７にはねじ孔１４を形成し、ねじ１５がねじ孔１４にねじ込まれ、さらにねじ１５の先端が溝部１３に当接するものとすることにより、回転防止を行うものとしても良い。
【符号の説明】
【００２６】
１  キャビネット
２  ファン
３  換気口
４  ルーバ
５  スリット
６  爪部
７  係止部材
８  係止孔
９  通風孔
１０  ねじ
１１  固定部
１２  ねじ取付孔
１３  溝部
１４  ねじ孔
１５  ねじ
１６  係止部
１０１  キャビネット
１０２  換気口
１０３  固定孔
【図１】
0006364632.tif 000002
【図２】
0006364632.tif 000003
【図３】
0006364632.tif 000004
【図４】
0006364632.tif 000005
【図５】
0006364632.tif 000006
【図６】
0006364632.tif 000007
【図７】
0006364632.tif 000008
【図８】
0006364632.tif 000009
【図９】
0006364632.tif 000010